【事件の表示】
　平成１１年特許願第２３８９８６号「記録媒体収容体および情報提供体」拒絶査定不服審判事件〔平成１３年３月６日出願公開、特開２００１−５８６８９〕について、次のとおり審決する。
【結　論】
　本件審判の請求は、成り立たない。
【理　由】
１．手続の経緯・本願発明
　本願は、平成１１年８月２５日の出願であって、その請求項１〜１５に係る発明は、平成１６年１２月２８日付け手続補正書によって補正された明細書および図面の記載からみて、明細書の特許請求の範囲の請求項１〜１５に記載された事項により特定されたとおりのものであると認められるところ、その請求項１に係る発明は、特許請求の範囲の請求項１に記載された次のとおりである。
「【請求項１】情報処理装置に提供するための情報を記録した記録媒体を収容するための記録媒体収容体において、
　保持すべきディスク型記録媒体を少なくとも１枚収容可能な第１の収容領域と、前記情報処理装置における情報の処理に関連して生成される関連データを記録するためのカード型記録装置を少なくとも１つ収容可能な第２の収容領域とを形成する収容部材を有し、
　前記収容部材は、前記保持すべきディスク型記録媒体を前記第１の収容領域に位置させて保持するための記録媒体保持部と、前記保持すべきカード型記録装置を前記第２の収容領域に位置させて保持するための記録装置保持部と、
　互いに向き合わせた状態でそれらの間に、ディスク型記録媒体およびカード型記録装置を収容する空間を形成する第１部材および第２部材と、前記第１部材および第２部材を互いに向き合わせた状態に折り畳み可能に連結する連結部材とを有し、
　前記第１部材に、前記第１の収容領域および第２の収容領域を配置し、
　前記第２部材に、前記保持すべきディスク型記録媒体に記録された情報に関する説明書を保持するための説明書保持部を配置することを特徴とする記録媒体収容体。」（以下、「本願発明１」という）
　
２．当審で通知した拒絶の理由の概要
　当審で通知した拒絶の理由は、「本願の請求項１〜１５に係る発明は、その出願前に頒布された引用刊行物１〜３に記載された発明に基づいて当業者が容易に発明をすることができたものであるから特許法第２９条第２項の規定により特許を受けることができない。」というものである。
　
３．引用刊行物の記載事項
　当審の拒絶の理由に引用された刊行物である、特開平１１−１７１２７４号公報（以下、「引用例１」という）、特開平５−２１３３８７号公報（以下、「引用例２」という）には次の事項が記載されている。
　
（１）引用例１
（１−１）「【請求項１】表紙体と、ＣＤを収納する事ができるファイル部を複数備えたＣＤ収納ケースにおいて、前記表紙体の裏面に複数のメモリーカード収納部を設けたことを特徴とするゲーム用ＣＤ収納ケース。
【請求項２】前記メモリーカード収納部は、表紙体の裏面に取り付けられた収納袋体と、この収納袋体の開口部を覆う蓋体とから構成されたことを特徴とする請求項１記載のゲーム用ＣＤ収納ケース。
【請求項３】前記メモリーカード収納部に配設された蓋体は、係止用の舌状片を有することを特徴とする請求項１記載のゲーム用ＣＤ収納ケース。」（特許請求の範囲）
（１−２）「【従来の技術】一般に、ゲーム用ソフトは、ゲームに関する種々の情報を記憶する事ができ、遊技する者がゲームの何処まで進んだかを記憶させておき、次回ゲームを開始する時に、前回進んだ所から進める事ができる形式のものが存在する。また、ゲーム中で種々のアイテムを獲得した場合には、次回もそれらのアイテムを使用できるようにするものである。」（第【０００２】欄）
（１−３）「【発明が解決しようとする課題】
　しかし、ゲーム用ＣＤソフトの中には、ゲームの進み具合、使用者名等の情報を記憶させる為の専用のメモリーカードを別に必要とするものがある。このようなゲーム用ＣＤを保存する場合、ＣＤは専用の収納ケースが種々販売されているが、メモリーカード用の収納ケースは存在しなかった。このため、家庭でこれらのソフトを保管する場合に、ゲーム用ＣＤソフトとそのゲームの進行状況や使用者名等を記録したメモリーカードがバラバラになってしまい、次に使用する際に不便であると云う欠点が存在した。」（第【０００３】欄）
（１−４）「【０００９】表紙体１１，１２は、厚手の紙或いは合成樹脂等から構成されており、裏面に複数のメモリーカード収納部１３が形成されている。本実施例の場合には、４個形成されている。…以下略…。
【００１１】ＣＤを収納する事ができるファイル部１８は、複数形成されており表紙体１１，１２の間に本の様に配設されている。…中略…ファイル部１８は、複数枚取り付けられており、ＣＤを複数枚収納する事が出来る。…以下略…。
【００１２】
　…略…あるゲームソフトを使用する場合、ゲーム用ＣＤ収納ケース１０からゲーム用ＣＤ１９と、表紙体１１から蓋体１５を開いてメモリーカード１６を取り出す。この時、ゲーム用ＣＤとメモリーカード１６が同一のケースに収納されている…以下略…。」（図１および第【０００９】〜【００１２】欄）
　
　記載事項「（１）（１−１）〜（１−４）」を総合すれば、
　引用例１には、表紙体１２と、そのゲームの進行状況や使用者名等を記録した複数のメモリーカード１６を収納する収納部１３を備えた表紙体１１と、表紙体１２と表紙体１１の間にあってゲーム機に使用するＣＤ１９を挿入する複数のファイル部１８を備えた背表紙体とを持つ開閉可能なゲーム用ＣＤとメモリーカードの収納ケース（以下、「引用例１の発明」という）が記載されているといえる。
（２）引用例２には、
（２−１）「【請求項１】本又はノート状の形態をとり、該本又はノート状の形態の中味のページ部分が、光記録媒体及び／又は光ディスクカートリッジを収納できる形状にくりぬかれた凹部を有することを特徴とする収納ケース。
【請求項２】前記凹部以外の各ページ部分に、情報記録領域を設けたことを特徴とする請求項１記載の収納ケース。
【請求項３】前記凹部が、前記光記録媒体及び／又は前記光ディスクカートリッジを複数収納できる１つ又は複数の凹部であることを特徴とする請求項１又は２記載の収納ケース。
【請求項４】前記凹部に光記録媒体を保持するセンターボスを設けたことを特徴とする請求項１，２又は３記載の収納ケース。
【請求項５】前記本又はノート状の形態の背表紙部分に、情報記録領域を設けたことを特徴とする請求項１記載の収納ケース。」（特許請求の範囲）
（２−２）「【技術分野】
　本発明は、収納ケースに関し、より詳細には、光記録媒体及び／又は光ディスクカートリッジの収納ケースに関する。例えば、フロッピーディスクや光カードの収納ケースなどに適用されるものである。」（第【０００１】欄）
（２−３）
「図４は、異なる品種、例えば、光ディスクカートリッジと光ディスク単体を一括して収納するための収納ケースで、図中、３１は収納ケース、３２ａは光ディスク単体を収納する凹部、３２ｂは光ディスクカートリッジを収納する凹部、３３ａは光ディスク、３３ｂは光ディスクカートリッジ、３４は背表紙、３５はセンターボスである。凹部３２ａに収納される光ディスク３３ａの中心孔に対応する表紙部分にはセンターボス３５が設けられている。その他の構成は図１と同様である。」（図４および第【００１２】欄）
　　
４．対比・判断
（１）本願発明１と引用例１の発明とを対比すると、
　引用例１の発明の、「ゲーム機」、「収納ケース」、「ＣＤ１９」、「メモリーカード１６」、「ファイル部１８」、「収納部１３」、「表紙体１２」、「表紙体１１」、「背表紙体」は、本願発明１の、「情報処理装置」、「記録媒体収容体」、「ディスク型記録媒体」、「カード型記録装置」、「第１の収容領域」、「第２の収容領域」、「第１部材」、「第２部材」、「連結部材」に相当するから、両者は、
「情報処理装置に提供するための情報を記録した記録媒体を収容するための記録媒体収容体において、
　保持すべきディスク型記録媒体を少なくとも１枚収容可能な第１の収容領域と、前記情報処理装置における情報の処理に関連して生成される関連データを記録するためのカード型記録装置を少なくとも１つ収容可能な第２の収容領域とを形成する収容部材を有し、
　前記収容部材は、前記保持すべきディスク型記録媒体を前記第１の収容領域に位置させて保持するための記録媒体保持部と、前記保持すべきカード型記録装置を前記第２の収容領域に位置させて保持するための記録装置保持部とを有することを特徴とする記録媒体収容体。」で一致し、以下の点で相違している。
　相違点１：本願発明１では、互いに向き合わせた状態でそれらの間に、ディスク型記録媒体およびカード型記録装置を収容する空間を形成する第１部材および第２部材を有し、前記第１部材に、前記第１の収容領域および第２の収容領域を配置しているのに対し、引用例１では、複数のメモリーカード１６を収納する収納部１３を有する表紙体１１と、表紙体１２と表紙体１１の間にあってゲーム機に使用するＣＤ１９を挿入する複数のファイル部１８を備えた背表紙体とに分離して配置している点。
　相違点２：本願発明１の、第２部材が、「第２部材に、保持すべきディスク型記録媒体に記録された情報に関する説明書を保持するための説明書保持部を配置」しているのに対し、引用例１の発明では、この点について記載がない点。
　以下、相違点について検討する
　相違点１に対して
　上記「３．（２）（２−１）〜（２−３）」には、本又はノートの中味のページ部分が、光記録媒体及びカードを当該ページ面に一括して収納できる形状にくりぬかれた凹部と、これを背表紙に対し折りたたむ表紙を有することを特徴とする収納ケースが開示されているから、当該構成は、「ディスク型記録媒体およびカード型記録装置を収容する空間を形成する第１部材」相当する。
　従って、引用例１に記載のゲーム用ＣＤとメモリーカードの収納ケースにおいて、ディスク型記録媒体およびカード型記録装置を同一部材に並べて配置した点に何らの困難性も認められない。
　相違点２に対して
　ゲーム用ＣＤソフト収納ケースを構成する折りたたみ可能な部材に取扱説明書収納部をもうけることは、この出願前周知の技術（一例として、特開平８−１６９４８８号公報、特開平８−５３１８１号公報等参照）であるから、相違点２は、格別のものではない。
　してみれば、引用例１の発明に引用例２に記載の「ゲーム用ＣＤソフトと、メモリーカードの組合わせ」の発明、および周知の「取扱説明書収納部付きケース」の発明を適用して本願発明１を構成することに格別な阻害要件も認められないから、当業者が適宜なし得たことである。
　そして、本願発明１の構成による格別な効果も認められない。
　                      
５．むすび
　上記のとおり、本願発明１は、引用例１、２に記載の発明、およびこの出願前周知の技術に基づいて当業者が容易に発明をすることができたものであるから、特許法第２９条第２項の規定により特許を受けることができない。
　それゆえ本願は、請求項２〜１５に係る発明について判断するまでもなく拒絶されるべきものである。
　よって、結論のとおり審決する。